(57)【要約】【課題】固定部材に対して可動部材の動きをロックまたはアンロックさせる機構を簡単に形成することができるようにする。【解決手段】ロックピン部４４−２のロックピン３５１は、可動部材である装着部に設けられているため、常に矢印Ａ方向に作用しているが、人力などによる矢印Ｂ方向への力が印加されると、固定部材であるスタンド枠に設けられたロックカム部５１−２のカム板乗せ台３２１に乗り、カム板３２３に衝突する。このとき、ユーザが手を離すなどすることで、ロックピン３５１は、常に作用する矢印Ａ方向への力により、カム板３１２側に移動し、カム板３１２に形成される切欠きによりその動作がロックされる。本発明は、複数のテレビジョン装置を装着可能なスタンドからなるスケーラブルＴＶシステムに適用できる。【選択図】図２２
2006308902.tif 000002
【特許請求の範囲】
【請求項１】
所定の位置に固定される固定部材、および前記固定部材に対して運動する可動部材のうちの一方に所定の位置関係で設置される２枚のカム板と、
前記固定部材および前記可動部材のうちの他方に設置され、前記可動部材が前記固定部材に対して行う往復運動により、前記２枚のカム板の間を通過する経過において、前記可動部材のロックおよびアンロックを行うロックピンと
を備えることを特徴とするロック機構。
【請求項２】
前記２枚のカム板は、前記ロックピンによる１度の往復運動だけで、前記可動部材のロックまたはアンロック可能な形状かつ位置関係に構成される
ことを特徴とする請求項１に記載のロック機構。
【請求項３】
前記２枚のカム板は、前記固定部材に設置され、
前記ロックピンは、前記可動部材に設置される
ことを特徴とする請求項１に記載のロック機構。
【請求項４】
少なくとも１のディスプレイ装置が装着されるディスプレイスタンドであって、
本体の所定の位置に固定される固定部材と、
前記固定部材に対して運動し、ディスプレイ装置が着脱可能な可動部材と、
前記固定部材および前記可動部材のうちの一方に所定の位置関係で設置される２枚のカム板と、
前記固定部材および前記可動部材のうちの他方に設置され、前記可動部材が前記固定部材に対して行う往復運動により、前記２枚のカム板の間を通過する経過において、前記可動部材のロックおよびアンロックを行うロックピンと
を備えることを特徴とするディスプレイスタンド。
【発明の詳細な説明】
【技術分野】
【０００１】
本発明は、ロック機構およびディスプレイスタンドに関し、特に、固定部材に対して可動部材の動きをロックまたはアンロックさせる機構を簡単に形成することができるようにしたロック機構およびディスプレイスタンドに関する。
【背景技術】
【０００２】
従来より、カムを用いたロック機構が知られている。このロック機構は、例えば、固定している部材に対して稼動する部材があり、固定している部材には、カム溝を設け、可動する部材には、固定している部材のカム溝に対応する位置にロックピンを設けることで、ロックピンが、カム溝を追従する経過において、ロックピンがカム溝に、ロックまたはアンロックされ、それに対応して、可動する部材が固定している部材に対してロック（運動停止）またはアンロック（運動再開）されるものである。
【０００３】
ところで、近年、ディスプレイ装置は、単体で使用される以外に、特許文献１に示されるように、複数のディスプレイ装置がディスプレイスタンドに取り付けられて構成されるマルチディスプレイや、特許文献２に示されるように、ディスプレイ装置を横と縦それぞれに任意の台数だけ配置して構成することが可能なスケーラブルＴＶシステムとして使用されることが提案されている。
【０００４】
しかしながら、上述した複数のディスプレイ装置からなるシステムにおいて、それぞれのディスプレイ装置は、接近してディスプレイスタンドに設置されていることが多く、ディスプレイスタンドから、個々のディスプレイ装置を取り外したり、装着したりすることが困難であった。
【０００５】
これに対応して、ディスプレイ装置が装着される装着部を、ユーザの手で手前に取り出せるようにしたディスプレイスタンドが提案されている。
【０００６】
【特許文献１】特開２００４−１９１６０１号公報
【特許文献２】特開２００３−１９５８４３号公報
【発明の開示】
【発明が解決しようとする課題】
【０００７】
このようなディスプレイスタンドにおいて、ディスプレイ装置が装着される装着部を、ディスプレイスタンドに対してロックあるいはロック解除するために、従来のカムを用いたロック機構を使用しようとした場合、従来のカム溝は、複雑な形状を設ける必要があり、その形成に手間がかかってしまっていた。
【０００８】
本発明は、このような状況に鑑みてなされたものであり、固定部材に対して可動部材の動きをロックまたはアンロックさせる機構を簡単に形成することができるようにするものである。
【課題を解決するための手段】
【０００９】
本発明のロック機構は、所定の位置に固定される固定部材、および固定部材に対して運動する可動部材のうちの一方に所定の位置関係で設置される２枚のカム板と、固定部材および可動部材のうちの他方に設置され、可動部材が固定部材に対して行う往復運動により、２枚のカム板の間を通過する経過において、可動部材のロックおよびアンロックを行うロックピンとを備えることを特徴とする。
【００１０】
２枚のカム板は、ロックピンによる１度の往復運動だけで、可動部材のロックまたはアンロック可能な形状かつ位置関係に構成されるようにすることができる。
【００１１】
２枚のカム板は、固定部材に設置され、ロックピンは、可動部材に設置されるようにすることができる。
【００１２】
本発明のディスプレイスタンドは、本体の所定の位置に固定される固定部材と、固定部材に対して運動し、ディスプレイ装置が着脱可能な可動部材と、固定部材および可動部材のうちの一方に所定の位置関係で設置される２枚のカム板と、固定部材および可動部材のうちの他方に設置され、可動部材が固定部材に対して行う往復運動により、２枚のカム板の間を通過する経過において、可動部材のロックおよびアンロックを行うロックピンとを備えることを特徴とする。
【００１３】
第１の本発明においては、２枚のカム板が、所定の位置に固定される固定部材、および固定部材に対して運動する可動部材のうちの一方に所定の位置関係で設置される。ロックピンが、固定部材および可動部材のうちの他方に設置される。そして、可動部材が固定部材に対して行う往復運動により、ロックピンが２枚のカム板の間を通過する経過において、ロックピンにより、可動部材のロックおよびアンロックが行われる。
【００１４】
第２の本発明においては、２枚のカム板が、本体の所定の位置に固定される固定部材、および固定部材に対して運動し、ディスプレイ装置が着脱可能な可動部材のうちの一方に所定の位置関係で設置される。ロックピンが、固定部材および可動部材のうちの他方に設置される。そして、可動部材が固定部材に対して行う往復運動により、ロックピンが２枚のカム板の間を通過する経過において、ロックピンにより、可動部材のロックおよびアンロックが行われる。
【発明の効果】
【００１５】
本発明によれば、固定部材に対して可動部材の動きをロックまたはアンロックさせる機構を簡単に形成することができる。
【発明を実施するための最良の形態】
【００１６】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１７】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００１８】
請求項１のロック機構は、所定の位置に固定される固定部材（例えば、図１８のスタンド枠１０−１）、および固定部材に対して運動する可動部材（例えば、図１８の装着部１１−１）のうちの一方に所定の位置関係で設置される２枚のカム板（例えば、図２０のカム板３１２およびカム板３１３）と、固定部材および可動部材のうちの他方に設置され、可動部材が固定部材に対して行う往復運動により、２枚のカム板の間を通過する経過において、可動部材のロックおよびアンロックを行うロックピン（例えば、図２１のロックピン３５１）とを備えることを特徴とする。
【００１９】
請求項４のディスプレイスタンド（例えば、図１のスタンド１０）は、本体の所定の位置に固定される固定部材（例えば、図１８のスタンド枠１０−１）と、固定部材に対して運動し、ディスプレイ装置（例えば、図１８のテレビジョン受像機２１−１）が着脱可能な可動部材（例えば、図１８の装着部１１−１）と、固定部材および可動部材のうちの一方に所定の位置関係で設置される２枚のカム板（例えば、図２０のカム板３１２およびカム板３１３）と、固定部材および可動部材のうちの他方に設置され、可動部材が固定部材に対して行う往復運動により、２枚のカム板の間を通過する経過において、可動部材のロックおよびアンロックを行うロックピン（例えば、図２１のロックピン３５１）とを備えることを特徴とする。
【００２０】
以下、図を参照して本発明の実施の形態について説明する。
【００２１】
図１は、本発明を適用したスケーラブルＴＶ(Television)システム（システムとは、複数の装置が論理的に集合した物をいい、各構成の装置が同一筐体中にあるか否かは問わない）の一実施の形態の構成例を示す斜視図であり、図２は、スケーラブルＴＶシステムの構成例を示す側面図である。
【００２２】
図１の例では、スケーラブルＴＶシステム１は、スタンド１０と、スタンド１０に着脱可能な９台のテレビジョン受像機２１−１乃至２１−９により構成されている。
【００２３】
なお、テレビジョン受像機２１−１乃至２１−９は、符号の枝番が異なるだけであり、同様の構成とされる。したがって、以下、適宜、テレビジョン受像機２１−１を用いて説明するが、その説明は、その他のテレビジョン受像機２１−２乃至２１−９の説明としても適用される。
【００２４】
スタンド１０には、縦３列×横３段に装着部１１−１乃至１１−９が設けられている。装着部１１−１乃至１１−９には、それぞれ、テレビジョン受像機２１−１乃至２１−９が装着されている。なお、説明の便宜上、装着部１１−１乃至１１−９の中には、図１または図２において図示がされていないものもある。
【００２５】
すなわち、スタンド１０の最左列には、装着部１１−１、装着部１１−４、および装着部１１−７が３段に設けられており、それぞれテレビジョン受像機２１−１、テレビジョン受像機２１−４、およびテレビジョン受像機２１−７が装着されている。スタンド１０の中央列には、図示せぬ装着部１１−２、装着部１１−５、および装着部１１−８が３段に設けられており、それぞれテレビジョン受像機２１−２、テレビジョン受像機２１−５、およびテレビジョン受像機２１−８が装着されている。スタンド１０の最右列には、装着部１１−３、装着部１１−６、および装着部１１−９（図２）が３段に設けられており、それぞれテレビジョン受像機２１−３、テレビジョン受像機２１−６、およびテレビジョン受像機２１−９が装着されている。
【００２６】
なお、装着部１１−１乃至装着部１１−９は、符号の枝番が異なるだけであり、同様の構成とされる。したがって、以下、ある装着部（例えば、装着部１１−１）を用いて説明したとしても、その説明は、その他の装着部（例えば、装着部１１−２乃至１１−９）の説明としても適用される。
【００２７】
図１の例においては、装着部１１−１は、スタンド１０に接するように閉じられている（固定されている）。この場合に、ユーザにより、装着部１１−１に装着されたテレビジョン受像機２１−１（または装着部１１−１の前面自体）がスタンド１０側に押し込まれることにより、装着部１１−１は、図３に示されるように、スタンド１０から解放され、スタンド１０の手前に押し出され、スタンド１０から突出する。また、スタンド１０から突出した状態の装着部１１−１は、再度、ユーザにより、スタンド１０側に押し込まれることにより、スタンド１０に対して接するように閉じられる。
【００２８】
以上のように装着部１１−１乃至１１−９を構成することで、図１に示されるように、各テレビジョン受像機２１−１乃至２１−９がより密接に配置されていたとしても、ユーザが、装着部１１−１をスタンド１０側に押し込むことにより、図３に示されるように、装着部１１−１が、スタンド１０から解放され、スタンド１０の手前に押し出され、スタンド１０に装着されている他のテレビジョン受像機２１から突出した状態となる。これにより、ユーザは、装着部１１−１からテレビジョン受像機２１−１を簡単に取り外すことができる。
【００２９】
また、スタンド１０から解放され、突出した状態の装着部１１−１に、テレビジョン受像機２１−１を装着し、再度、スタンド１０側に押し込むことで、装着部１１−１は、図１に示されるように、スタンド１０に閉じられて固定される。
【００３０】
なお、図３の例においては、スタンド１０から解放された装着部１１−４に、テレビジョン受像機２１−４が装着されることなく、再度、装着部１１−４がスタンド１０側に押し込まれて、スタンド１０に固定された状態が示されている。
【００３１】
以上により、ユーザは、装着部１１−１からのテレビジョン受像機２１−１の着脱を簡単に行うことができる。
【００３２】
図１に戻って、スタンド１０の３段目の装着部１１−７乃至１１−９の下段には、さらに、スケーラブルＴＶシステム１を構成するテレビジョン受像機の音声を出力するスピーカ（図示せぬ）が収納されるラック１２−１乃至１２−３がそれぞれ設けられ、その下段には、スケーラブルＴＶシステム１の電気系統（すなわち、スタンド１０における各列の電気系統）がまとめられた電気ボックスが収納されるボックス１３−１乃至１３−３がそれぞれ設けられている。
【００３３】
なお、図示されないが、スタンド１０の内部には、外側の支柱２本の他に、内部に２本の支柱が設けられ、さらに、上面と設置面の他に、内部に４段の台が設けられることにより、装着部１１−１乃至１１−９、ラック１２−１乃至１２−３、並びに、ボックス１３−１乃至１３−３にそれぞれ対応する縦３列×横５段の枠組みが構成されている。
【００３４】
したがって、以下、スタンド１０を、装着部１１−１乃至１１−９、ラック１２−１乃至１２−３、並びに、ボックス１３−１乃至１３−３に対応させて個別に説明する際には、装着部１１−１乃至１１−９、ラック１２−１乃至１２−３、並びに、ボックス１３−１乃至１３−３に対応する枠組みを、適宜、それぞれ、スタンド枠１０−１乃至１０−１５とも称する。
【００３５】
ここで、スケーラブルＴＶシステム１を構成するテレビジョン受像機の数は、９台に限定されるものではなく、また、スケーラブルＴＶシステム１を構成するテレビジョン受像機の配置も、図１に示したように、縦×横が、３×３に限定されるものではない。すなわち、スケーラブルＴＶシステム１は、装着部の列や段の数を変更して構成することにより、任意の複数台のテレビジョン受像機によって構成することが可能であり、スケーラブルＴＶシステム１を構成するテレビジョン受像機の配置は、その他、例えば、縦×横が、１×３や、２×３、２×５などとすることも可能である。
【００３６】
このようにスケーラブルＴＶシステム１は、任意の複数台のテレビジョン受像機を、横と縦それぞれに、任意の台数だけ配置して構成することができることから、「スケーラブル」なシステムであるということができる。
【００３７】
スケーラブルＴＶシステム１には、赤外線ＩＲ(Infrared Ray)を出射する図示せぬリモートコマンダが付随しており、ユーザは、このリモートコマンダを操作することにより、受信チャンネルや音量の変更、その他各種のコマンドを、スケーラブルＴＶシステム１の各テレビジョン受像機２１−１乃至２１−９に与えることができるようになっている。なお、リモートコマンダからの赤外線ＩＲの受光部は、スケーラブルＴＶシステム１に一箇所に設けるようにしてもよいし、各テレビジョン受像機２１−１乃至２１−９毎に設けるようにしてもよい。
【００３８】
なお、リモートコマンダは、赤外線通信を行うものに限定されるものではなく、例えば、BlueTooth（商標）その他の無線通信を行うものを採用することが可能である。
【００３９】
スケーラブルＴＶシステム１を構成するテレビジョン受像機２１−１乃至２１−９は、それぞれ独立して動作を行う独立したテレビジョン受像機であり、図２に示されるように、薄型で構成される。すなわち、テレビジョン受像機２１−１乃至２１−９は、それぞれ、リモートコマンダからのコマンドを判断する制御ブロック、信号処理ブロック、およびチューナなどを内蔵しており、その前面には、例えば、１４インチ（inch）や１５インチなどのサイズで構成される薄型のＬＣＤ（Liquid Crystal Display）などで構成されるディスプレイが設けられている。
【００４０】
したがって、テレビジョン受像機２１−１乃至２１−９は、スタンド１０から外され、他の場所に移動されたとしても、それぞれ１台のテレビジョン受像機として機能する。すなわち、テレビジョン受像機２１−１乃至２１−９は、それぞれ設置された場所において、図示せぬアンテナで受信されたテレビジョン放送信号のチャンネルをそれぞれ内蔵するチューナで選択し、選択したチャンネルの放送コンテンツの映像を、それぞれのディスプレイに表示させる。
【００４１】
一方、スケーラブルＴＶシステム１においては、各テレビジョン受像機２１−１乃至２１−９は、各装着部１１−１乃至１１−９に装着され、各装着部１１−１乃至１１−９がスタンド１０に固定されたとき、スタンド１０における自身の配置位置を認識することができる。
【００４２】
したがって、スタンド１０に装着されているテレビジョン受像機２１−１乃至２１−９は、リモートコマンダからのコマンドと自身の配置位置に応じて、それぞれに設けられたディスプレイに、１つの放送コンテンツの映像を大きく表示させることができる。また、例えば、テレビジョン受像機２１−１乃至２１−９のうちの２×２だけが、自己のディスプレイに、１つの放送コンテンツの映像を大きく表示させ、その他のテレビジョン受像機は、別の放送コンテンツの映像を、自己のディスプレイに表示させるというようなことも可能である。
【００４３】
なお、このとき、例えば、スタンド１０から、テレビジョン受像機２１−１乃至２１−９のいずれかが取り外されていたとしても、スタンド１０に装着されている各テレビジョン受像機は、独立して動作を行うため、リモートコマンダからのコマンドと自身の配置位置に応じた映像を表示させることができる。
【００４４】
また、もちろん、スタンド１０に装着されているテレビジョン受像機２１−１乃至２１−９は、単体で使用されるテレビジョン受像機と同様に、リモートコマンダからのコマンドをそれぞれ判断し、図示せぬアンテナで受信されたテレビジョン放送信号のチャンネルをそれぞれ内蔵するチューナで選択し、図１に示されるように、選択したチャンネルの放送コンテンツの映像を、それぞれのディスプレイに表示させることもできる。
【００４５】
図４および図５は、図１の装着部１１−４の詳細な構成例を示す拡大斜視図である。図４の例においては、スタンド１０（スタンド枠１０−４）から解放され、スタンド枠１０−４から突出した状態の装着部１１−４が示されており、図５の例においては、スタンド枠１０−４に接するように固定された状態の装着部１１−４が示されている。
【００４６】
装着部１１−４には、テレビジョン受像機２１−４の背面に設けられるモニタパイプ４１（図６）を引っ掛けて、テレビジョン受像機２１−４をスタンド１０に装着するためのモニタフック３１、テレビジョン受像機２１−４の電気的なブロックと、スタンド１０（実際には、ボックス１３−１に収納される電気ボックス）とを電気的に接続するためのコネクタ３２、および、装着部１１−４がスタンド１０に固定されたときにテレビジョン受像機２１−４の下部を装着部１１−４に固定するためのモニタロック３３が設けられている。
【００４７】
図４に示されるように、装着部１１−４がスタンド枠１０−４から解放され、スタンド枠１０−４から突出した状態の場合、テレビジョン受像機２１−４を着脱するため、モニタフック３１、コネクタ３２、およびモニタロック３３は、装着部１１−４の手前に突出した開状態となる。
【００４８】
開状態となった装着部１１−４にテレビジョン受像機２１−４が装着され、テレビジョン受像機２１−４が装着された装着部１１−４がスタンド枠１０−４に固定された場合、モニタフック３１およびモニタロック３３は、それぞれ、テレビジョン受像機２１−４のモニタパイプ４１と、テレビジョン受像機２１−４の下部を固定する。
【００４９】
これにより、テレビジョン受像機２１−４は、装着部１１−４の上部に設けられたモニタフック３１と、装着部１１−４の下部に設けられたモニタロック３３により強固に固定される。
【００５０】
このとき、コネクタ３２は、テレビジョン受像機２１−４に設けられた接続コネクタに接続され、装着部１１−４に装着されたテレビジョン受像機２１−４に対して、例えば、図示せぬアンテナからのテレビジョン放送信号、ビデオレコーダなどからの映像および音声信号、電力、または所定の情報などを供給する。所定の情報には、スタンド１０における配置位置の情報なども含まれる。
【００５１】
これにより、装着部１１−４に装着されたテレビジョン受像機２１−４は、スタンド１０における自身の配置位置を認識することができる。
【００５２】
一方、図５に示されるように、テレビジョン受像機２１−４が装着されずに、装着部１１−４がスタンド枠１０−４に固定された場合、モニタフック３１、コネクタ３２、およびモニタロック３３は、スタンド枠１０−４内に収納された閉状態となる。
【００５３】
これにより、装着部１１−４にテレビジョン受像機２１−４が装着されていなくても、モニタフック３１、コネクタ３２、およびモニタロック３３は装着部１１−４から突出したままにならないので、見栄えがよくなり、他のテレビジョン受像機に表示される映像を見る場合にも、ユーザの妨げになることが抑制される。
【００５４】
図６は、図１の装着部１１−１とテレビジョン受像機２１−１の構成例を示す拡大側面図である。図６の例においては、装着部１１−１がスタンド枠１０−１から解放され、スタンド枠１０−１から突出した状態が示されている。
【００５５】
テレビジョン受像機２１−１の背面には、モニタパイプ４１が取り付けられており、モニタパイプ４１を、装着部１１−１に設けられたモニタフック３１に引っ掛けることで、テレビジョン受像機２１−１は、装着部１１−１に装着される。
【００５６】
スタンド枠１０−１には、パンタグラフ機構４２の一方の端部が取り付けられており、装着部１１−１には、パンタグラフ機構４２の他方の端部が取り付けられている。すなわち、装着部１１−１は、パンタグラフ機構４２を介して、スタンド枠１０−１に連結されている。
【００５７】
パンタグラフ機構４２は、固定部材としてのスタンド枠１０−１に対して、可動部材としての装着部１１−１を、矢印４３に示されるように、スタンド枠１０−１と、スタンド枠１０−１から所定の距離離れた位置を、平行に往復運動させるように構成されている。
【００５８】
したがって、固定部材としてのスタンド枠１０−１から解放された可動部材としての装着部１１−１は、スタンド枠１０−１に対して、平行に、閉じたり、突出する運動、すなわち、平行往復運動を行うことができるようになる。
【００５９】
また、図６の装着部１１−１のスタンド枠１０−１側の下部には、左右にそれぞれ、スタンド枠１０−１に設けられるロックカム部５１−１および５１−２（図７）に対応するロックピン部４４−１および４４−２が設けられている。
【００６０】
ユーザが、スタンド枠１０−１から解放され、突出した状態の装着部１１−１を、スタンド枠１０−１側に押し込むことにより、ロックピン部４４−１および４４−２がロックカム部５１−１および５１−２に嵌合される。これにより、装着部１１−１は、スタンド枠１０−１に固定される。
【００６１】
また、ユーザがスタンド枠１０−１に固定された装着部１１−１を、スタンド枠１０−１側にさらに押し込むことにより、ロックピン部４４−１および４４−２がロックカム部５１−１および５１−２から外れる。これにより、装着部１１−１は、スタンド枠１０−１から解放される。
【００６２】
すなわち、ロックピン部４４−１および４４−２は、ロックカム部５１−１および５１−２とともに、装着部１１−１のスタンド枠１０−１からの固定と解放（スタンド枠１０−１に対しての装着部１１−１の運動の停止および再開）を制御する。
【００６３】
図７は、図６のスタンド枠１０−１を後方からみた構成例を示す斜視図である。なお、実際には、スタンド１０（スタンド枠１０−１乃至１０−１５）の内部が見えないように、スタンド１０の背面には、図示せぬカバーが取り付けられている。
【００６４】
図７の例においては、テレビジョン受像機２１−１が装着されている装着部１１−１がスタンド枠１０−１に固定され、パンタグラフ機構４２がスタンド枠１０−１の内部に収納された状態が示されている。
【００６５】
すなわち、スタンド枠１０−１内において、装着部１１−１に設けられたロックピン部４４−１に対応する位置（図中左下）には、ロックカム部５１−１が設けられており、図７の例においては、ロックピン部４４−１がロックカム部５１−１に嵌合されている。
【００６６】
なお、図７においては、図示されないが、スタンド枠１０−１内における左右対称の位置には、ロックピン部４４−２に対応するロックカム部５１−２も設けられている。ロックピン部４４−１および４４−２、並びにロックカム部５１−１および５１−２の詳細は、図１８以降で説明する。
【００６７】
また、図７の例においては、図６のパンタグラフ機構４２は、剛性の向上を目的として、左右対称の２つのパンタグラフ機構４２−１、およびパンタグラフ機構４２−２（図８）で構成されている。
【００６８】
パンタグラフ機構４２−１は、スタンド枠１０−１内の一方の支柱６１−１側（図中左側）に取り付けられ、スタンド枠１０−１内の他方の支柱６１−２（図８）側に取り付けられるパンタグラフ機構４２−２と、３本のシャフト６２乃至６４を介して連結されている。
【００６９】
シャフト６４には、さらに、細シャフト７１を保持する連結用部材７２−１および７２−２が取り付けられている。この細シャフト７１には、下端部がスタンド枠１０−１に取り付けられたエアシリンダ８１の上端部が取り付けられ、保持されている。エアシリンダ８１の詳細は、図１０を参照して後述する。
【００７０】
連結用部材７２−２には、さらに、下端部がスタンド枠１０−１に取り付けられたガススプリング８２の上端部が取り付けられている。ガススプリング８２の詳細は、図９を参照して後述する。
【００７１】
図８は、パンタグラフ機構４２−２の詳細な構成例を示す側面図である。
【００７２】
なお、図８の例においては、スタンド枠１０−１内の支柱６１−２と、装着部１１−１の支柱６１−２側の枠１０１−２に取り付けられるパンタグラフ機構４２−２を用いて説明するが、スタンド枠１０−１内の支柱６１−１と、装着部１１−１の支柱６１−１側の枠１０１−１に取り付けられるパンタグラフ機構４２−１は、パンタグラフ機構４２−２と左右対称であることが異なるだけであり、パンタグラフ機構４２−２と同様の構成を有し、同様の動作を行う。
【００７３】
固定部材としてのスタンド枠１０−１内の支柱６１−２には、中央から下端にかけて、レール１１１と、レール１１１上を上下に移動可能なインナ１１２が設けられており、可動部材としての装着部１１−１の枠１０１−２には、中央から下端にかけて、レール１２１と、レール１２１上を上下に移動可能なインナ１２２が設けられている。
【００７４】
パンタグラフ機構４２−２は、アーム１３１およびアーム１３２により構成される。アーム１３１およびアーム１３２は、平行ピン１３３を用いて連結されており、平行ピン１３３を軸として、回動自在に構成されている。なお、連結部分の剛性を向上させるために、平行ピン１３３にベアリングを取り付けるようにしてもよい。
【００７５】
アーム１３１の一方の固定端は、枠１０１−２の上端に平行ピン１４１を用いて取り付けられ、他方の固定端は、支柱６１−２に設けられているレール１１１上のインナ１１２に、平行ピン１４２を用いて取り付けられている。
【００７６】
アーム１３２の一方の固定端は、支柱６１−２の上端に平行ピン１４３を用いて取り付けられ、他方の固定端は、枠１０１−２に設けられているレール１２１上のインナ１２２に、平行ピン１４４を用いて取り付けられている。
【００７７】
すなわち、インナ１１２とアーム１３１は、平行ピン１４２で取り付けられているため、アーム１３１は、インナ１１２に対して、平行ピン１４２を軸に回動自在となり、インナ１１２は、レール１１１上を上下に移動可能となる。同様に、インナ１２２とアーム１３２は、平行ピン１４４で取り付けられているため、アーム１３２は、インナ１２２に対して、平行ピン１４４を軸に回動自在となり、インナ１２２は、レール１２１上を上下に移動可能となる。
【００７８】
以上のようなパンタグラフ機構４２−２が構成されることにより、固定部材としての支柱６１−２に対して、可動部材としての装着部１１−１の枠１０１−２は、平行運動、かつ、往復運動を行うことができる。
【００７９】
また、固定部材としての支柱６１−１に対して、可動部材としての装着部１１−１の枠１０１−１を、平行運動、かつ、往復運動可能にするパンタグラフ機構４２−１が、パンタグラフ機構４２−２と左右対称に構成される。したがって、装着部１１−１の左右の枠１０１−１および１０１−２に、２つのパンタグラフ機構４２−１および４２−２を介して、スタンド枠１０−１が連結されるので、可動部材としての装着部１１−１の動きのバランスを取ることができる。
【００８０】
図８の例において、パンタグラフ機構４２−２のアーム１３１には、シャフト６２を保持するためのシャフトホルダ１５１、および、シャフト６４を保持するためのシャフトホルダ１５２が設けられている。パンタグラフ機構４２−２のアーム１３１のシャフトホルダ１５１および１５２は、パンタグラフ機構４２−１のアーム１３１に同様にして設けられたシャフトホルダ１５１および１５２とともに、シャフト６２およびシャフト６３を保持することにより、パンタグラフ機構４２−１と４２−２を連結している。
【００８１】
また、パンタグラフ機構４２−２のアーム１３２には、シャフト６３を保持するためのシャフトホルダ１５３が設けられている。パンタグラフ機構４２−２のアーム１３２のシャフトホルダ１５３は、パンタグラフ機構４２−１のアーム１３２に同様にして設けられたシャフトホルダ１５３とともに、シャフト６２およびシャフト６３を保持することにより、パンタグラフ機構４２−１と４２−２を連結している。
【００８２】
これにより、パンタグラフ機構４２−１および４２−２の剛性は向上される。
【００８３】
以上のようにパンタグラフ機構４２−１および４２−２を構成することにより、可動部材としての装着部１１−１は、左右で支持されるので、固定部材としてのスタンド枠１０−１に対して、安定した状態で往復運動を行うことができる。
【００８４】
次に、図９を参照して、パンタグラフ機構４２−２に取り付けられるガススプリングを説明する。
【００８５】
図９は、パンタグラフ機構４２−２へのガススプリング８２の取り付け例を示す側面図である。なお、図９においては、装着部１１−１として、図８の枠１０１−２だけでなく、装着部１１−１の前面板１１−１ａも示されており、スタンド枠１０−１として、図８の支柱６１−２だけでなく、支柱６１−２を固定する支柱固定台１７１も示されている。また、図９のアーム１３２においては、シャフトホルダ１５３が省略されている。
【００８６】
図９のアーム１３１には、シャフトホルダ１５２により保持されるシャフト６４を介して、連結用部材７２−２が取り付けられている。
【００８７】
ガススプリング８２は、この連結用部材７２−２の図中奥側に、下部の固定端８２ａが、固定部材１７２を用いて、スタンド枠１０−１の支柱固定台１７１に固定され、上部の可動端８２ｂが平行ピン１７４を用いて固定されて、パンタグラフ機構４２−２に取り付けられている。
【００８８】
なお、ガススプリング８２の固定端８２ａおよび可動端８２ｂは、平行ピン１７３および平行ピン１７４を用いて固定されており、それぞれ、支柱固定台１７１および連結用部材７２−２に対して自由に角度を変えることができる。
【００８９】
ガススプリング８２は、内部に窒素などの気体が充填されることで、所定の長さまで伸張可能な伸張能力を有している。
【００９０】
ガススプリング８２が収縮している場合、ガススプリング８２の伸張能力により、ガススプリング８２の可動端８２ｂは、図中上方へ動き、この動きに伴って、ガススプリング８２の可動端８２ｂに取り付けられた連結用部材７２−２が上方へ押し上げられる。
【００９１】
連結用部材７２−２が押し上げられると、パンタグラフ機構４２−２のアーム１３１に取り付けられたインナ１１２、およびアーム１３２に取り付けられたインナ１２２は、矢印ｕに示されるように、レール１１１およびレール１２１に沿ってそれぞれ上昇し、同時に、アーム１３１の固定端と、固定端に平行ピン１４１を用いて取り付けられた装着部１１−１の枠１０１−２は、矢印Ａ方向へ動く。
【００９２】
なお、この動作は、パンタグラフ機構４２−１においても同様に行われる。すなわち、連結用部材７２−２が押し上げられると、パンタグラフ機構４２−１のアーム１３１に取り付けられたインナ１１２、およびアーム１３２に取り付けられたインナ１２２は、レール１１１およびレール１２１に沿って、矢印ｕに示されるように、それぞれ上昇し、同時に、アーム１３１の固定端と、固定端に平行ピン１４１を用いて取り付けられた装着部１１−１の枠１０１−１は、矢印Ａ方向へ動く。
【００９３】
以上により、装着部１１−１は、スタンド枠１０−１から前方（矢印Ａ方向）に押し出され、スタンド枠１０−１から突出した状態となる。
【００９４】
一方、例えば、ユーザは、スタンド枠１０−１から突出した装着部１１−１を、スタンド枠１０−１（矢印Ｂ方向）へ押し込む。矢印Ｂ方向に力が印加されると、パンタグラフ機構４２−１および４２−２のアーム１３１に取り付けられたインナ１１２、およびアーム１３２に取り付けられたインナ１２２は、レール１１１およびレール１２１に沿って、矢印ｄに示されるように、それぞれ降下し、同時に、連結用部材７２−２に取り付けられたガススプリング８２の可動端８２ｂが降下して、ガススプリング８２は収縮する。
【００９５】
なお、このとき、上述したロックピン部４４−１および４４−２が、それぞれロックカム部５１−１および５１−２に嵌合されて、装着部１１−１は、スタンド枠１０−１に固定されるので、ガススプリング８２は、収縮したままの状態で、スタンド枠１０−１内に収納される。
【００９６】
以上のように、スタンド枠１０−１から解放された装着部１１−１は、ガススプリング８２の伸張能力により、スタンド枠１０−１から、矢印Ａ方向に移動するが、この装着部１１−１が矢印Ａ方向に移動する移動速度は、部材重量の影響を受けながら、ガススプリング８２の伸縮速度に大きく起因してしまう。
【００９７】
したがって、パンタグラフ機構４２にガススプリング８２を取り付けることにより、装着部１１−１をスタンド枠１０−１から押し出すことができるが、その押し出すスピード（すなわち、装着部１１−１の矢印Ａ方向への移動スピード）を制御することは難しい。
【００９８】
すなわち、ガススプリングの（ピストンロッド）伸張速度は、シリンダ径やピストンロッド径、シリンダに充填されたガス量やオイル量によってコントロール可能ではあるが、このコントロールは、ガススプリングの製造メーカで設定され、ユーザはその仕様の中から所望の要求に近いものを選び使用するしかない。しかしながら、実際に使用するガススプリングを選ぼうとすると、ユーザが使用したい伸張速度でないことが多く、製造メーカの仕様よりも低速の伸張速度に調整することが難しい。
【００９９】
また、伸張速度を、電気的に調整するように構成して対応することも可能ではあるが、製造コストが高くなるなどの恐れがある。
【０１００】
そこで、パンタグラフ機構４２に、ガススプリング８２に加えて、さらに、図１０に示されるように、エアシリンダ８１を取り付ける。
【０１０１】
図１０は、図９のパンタグラフ機構４２−２へのエアシリンダ８１の取り付け例を示す側面図である。
【０１０２】
エアシリンダ８１は、連結用部材７２−２の図中手前側に、下部の固定端８１ａが、固定部材１８１を用いて、スタンド枠１０−１の支柱固定台１７１に固定され、上部の可動端８１ｂが、連結用部材７２−２に保持された細シャフト７１（図１１）に固定されて、パンタグラフ機構４２−２に取り付けられている。
【０１０３】
なお、エアシリンダ８１の固定端８１ａは、平行ピンを用いて固定されており、可動端８１ｂは、細シャフト７１により固定されており、それぞれ、支柱固定台１７１および連結用部材７２−２に対して自由に角度を変えることができる。
【０１０４】
エアシリンダ８１は、ガススプリング８２の伸張能力（すなわち、伸張方向への力）に対して反力として働くため、パンタグラフ機構４２−２にエアシリンダ８１を設けることにより、ガススプリング８２の伸張速度（装着部１１−１が矢印Ａ方向に移動する速度）を低減させることができる。
【０１０５】
また、エアシリンダ８１は、実際には、図１１に示されるように、スピードコントロール機構２０１を有しており、スピードコントロール機構２０１によって、ガススプリング８２に対する反力を調整することがきる。
【０１０６】
図１１の例において、エアシリンダ８１は、外部との空気を出し入れするエア孔部８１ｃを介して、連結管２０２により、スピードコントロール機構２０１が連結されており、エアシリンダ８１内の空気は、エア孔部８１ｃ、連結管２０２、およびエアスピードコントロール機構２０１を介して、外部に対して出し入れされる。
【０１０７】
図１２は、スピードコントロール機構２０１の詳細な構成例を示す側面図および正面図である。
【０１０８】
スピードコントロール機構２０１は、スピードコントロール本体２１１と流量調整ねじ２１２により構成される。スピードコントロール本体２１１には、孔２１３を通じて外部に対して空気を出し入れするエア出入口２１１ａと、孔２１３を通じてエアシリンダ８１のエア孔８１ｃに接続される連結管２０２に対して空気を出し入れするエア出入口２１１ｂが設けられている。
【０１０９】
スピードコントロール本体２１１を通過する空気の流量は、流量調整ねじ２１２の締め加減により調整される。流量調整ねじ２１２を固く締めることで、スピードコントロール本体２１１を通過する空気の流量が少なくなり、エアシリンダ８１の伸張する力への反力が増大される。また、流量調整ねじ２１２を緩く締めることで、スピードコントロール本体２１１を通過する空気の流量が多くなり、エアシリンダ８１の伸張する力への反力が減少される。
【０１１０】
以上のように、エアシリンダ８１の内圧が調整され、さらに、ガススプリング８２に対する反力も調整される。
【０１１１】
すなわち、図１０に戻って、ガススプリング８２の伸張速度（装着部１１−１が矢印Ａ方向に移動する速度）が所望の速度よりも速い場合、スピードコントロール機構２０１の空気流量を少なくすることにより、エアシリンダ８１の反力を増大させる。これにより、ガススプリング８２による装着部１１−１の矢印Ａ方向への移動速度を低減させることができる。
【０１１２】
一方、ガススプリング８２の伸張速度を増加させたい場合には、スピードコントロール機構２０１の空気流量を多くすることにより、エアシリンダ８１の反力を減少させる。これにより、ガススプリング８２による装着部１１−１の矢印Ａ方向への移動速度を増大させることができる。
【０１１３】
次に、これらのエアシリンダ８１およびガススプリング８２を備えたパンタグラフ機構４２の動作を説明する。
【０１１４】
例えば、図１０の例に示されるように、装着部１１−１がスタンド枠１０−１から解放されている状態においては、装着部１１−１に対して、矢印Ａ方向に、エアシリンダ８１の反力により調整されたガススプリング８２の伸張能力が作用しており、装着部１１−１は、スタンド枠１０−１から矢印Ａ方向に突出している。
【０１１５】
ここで、ユーザは、スタンド枠１０−１から矢印Ａ方向に突出した装着部１１−１を、スタンド枠１０−１（矢印Ｂ方向）に押し込む。
【０１１６】
矢印Ｂ方向に人力などが印加されると、パンタグラフ機構４２−２のアーム１３１に取り付けられたインナ１１２、およびアーム１３２に取り付けられたインナ１２２は、レール１１１およびレール１２１に沿って、矢印ｄに示されるように、それぞれ降下し、インナ１１２および１２２の降下と同時に、連結用部材７２−２に取り付けられたエアシリンダ８１の可動端８１ｂ、およびガススプリング８２の可動端８２ｂが降下して、エアシリンダ８１およびガススプリング８２は収縮する。
【０１１７】
以上により、図１３に示されるように、アーム１３１および１３２は、折りたたまれ、スタンド枠１０−１に収納された状態となり、装着部１１−１は、スタンド枠１０−１に対して閉じられる。
【０１１８】
なお、このとき、実際には、ロックピン部４４−１および４４−２がロックカム部５１−１および５１−２に嵌合されることで、装着部１１−１は、スタンド枠１０−１に対して固定（ロック）されている。
【０１１９】
例えば、ユーザは、スタンド枠１０−１に固定された装着部１１−１を、さらに、スタンド枠１０−１側（矢印Ｂ方向）に押し込むことにより、ロックピン部４４−１および４４−２がロックカム部５１−１および５１−２から外れる。これにより、装着部１１−１は、スタンド枠１０−１から解放される。
【０１２０】
このとき、収縮していたガススプリング８２の伸張能力とエアシリンダ８１の反力により調整された速度で、ガススプリング８２の可動端８２ｂとエアシリンダ８１の可動端８１ｂは、矢印ｕ方向（図中上方）へ動き、この動きに伴って、エアシリンダ８１の可動端８１ｂとガススプリング８２の可動端８２ｂに取り付けられた連結用部材７２−２が上方へ押し上げられる。
【０１２１】
連結用部材７２−２が押し上げられると、パンタグラフ機構４２−２のアーム１３１に取り付けられたインナ１１２、およびアーム１３２に取り付けられたインナ１２２は、レール１１１およびレール１２１に沿ってそれぞれ上昇し、同時に、アーム１３１の固定端と、固定端に平行ピン１４１を用いて取り付けられた装着部１１−１の枠１０１−２は、矢印Ａ方向へ動く。
【０１２２】
なお、この動作は、パンタグラフ機構４２−１においても同様に行われる。すなわち、連結用部材７２−２が押し上げられると、パンタグラフ機構４２−１のアーム１３１に取り付けられたインナ１１２、およびアーム１３２に取り付けられたインナ１２２は、レール１１１およびレール１２１に沿って、矢印ｕに示されるように、それぞれ上昇し、同時に、アーム１３１の固定端と、固定端に平行ピン１４１を用いて取り付けられた装着部１１−１の枠１０１−１は、矢印Ａ方向へ動く。
【０１２３】
以上により、ガススプリング８２の伸張能力とエアシリンダ８１の反力により制御された移動速度で、装着部１１−１は、図１０に示されるように、スタンド枠１０−１から前方（矢印Ａ方向）に押し出され、スタンド枠１０−１から突出した状態となる。
【０１２４】
なお、上述した装着部１１−１の矢印Ａ方向への移動速度は、例えば、ガスダンパ(damper)と摩擦スリープなどの他の方法によっても実現可能である。ただし、ガススプリング８２の伸張能力とエアシリンダ８１の反力による速度制御は、他の方法に較べて、微調整まで可能であり、さらに、一度調整された移動速度は、長期に渡って維持することが可能である。
【０１２５】
以上のように、ガススプリング８２の伸張能力とエアシリンダ８１の反力により、装着部１１−１の矢印Ａ方向への移動速度を制御するようにしたので、図１のスケーラブルＴＶシステム１における複数の装着部１１−１乃至１１−９のスタンド１０からの移動速度を、略一定になるように調整し、さらに、その調整を長期に渡って維持することが可能になる。
【０１２６】
これにより、ユーザは、安全、かつ、簡単に、装着部１１−１乃至１１−９を、スタンド１０の手前に出させることができる。
【０１２７】
図１４は、スタンド枠１０−１におけるエアシリンダ８１およびガススプリング８２の配置位置の例を示す背面図である。なお、図１４の例のパンタグラフ機構４２−１および４２−２は、位置だけを明示するためのものであるため、説明の便宜上、簡易的に長方形で示されている。
【０１２８】
図１４の例において、パンタグラフ機構４２−１とパンタグラフ機構４２−２により保持されるシャフト６４には、パンタグラフ機構４２−１側から、順に、連結用部材７２−１および７２−２が取り付けられている。
【０１２９】
連結用部材７２−１と連結用部材７２−２は、細シャフト７１を保持しており、細シャフト７１には、エアシリンダ８１の可動端８１ｂが取り付けられている。また、連結用部材７２−２には、さらに、平行ピン１７４により、ガススプリング８２の可動端８２ｂが取り付けられている。
【０１３０】
なお、図１４の配置関係は、一例であり、エアシリンダ８１とガススプリング８２の位置は、逆に構成するようにしてもよいし、その配置間隔も、速度の調整に応じて変更可能である。また、パンタグラフ機構４２−１とパンタグラフ機構４２−２への取り付け方も、上述した例に限定されない。
【０１３１】
さらに、エアシリンダ８１とガススプリング８２は、１つずつの構成に限らず、速度の調整度合いに応じて、エアシリンダ８１およびガススプリング８２のうち少なくとも１方を増やして構成するようにしてもよい。すなわち、ガススプリング８２が１つに対して、エアシリンダ８１を複数で構成するようにしてもよいし、逆に、エアシリンダ８１が１つに対してガススプリング８２を複数で構成するようにしてもよいし、両方を複数ずつ構成するようにしてもよい。
【０１３２】
図１５は、装着部１１−１とスタンド枠１０−１の構成例を示す斜視図であり、図１６は、図１５の装着部１１−１の前面板１１−１ａを取り除いた状態の装着部１１−１とスタンド枠１０−１の構成例を示す斜視図である。なお、図１０と対応する部分には、対応する符号が付してあり、その説明は繰り返しになるので、適宜省略する。
【０１３３】
図中手前に示されるスタンド枠１０−１の支柱６１−１と、装着部１１−１の枠１０１−１には、パンタグラフ機構４２−１が設けられており、図中奥に示されるスタンド枠１０−１の支柱６１−２と、装着部１１−１の枠１０１−２には、パンタグラフ機構４２−２が設けられている。
【０１３４】
パンタグラフ機構４２−１および４２−２は、それぞれに設置されているシャフトホルダ１５１乃至１５３で、シャフト６２、シャフト６４、およびシャフト６３をそれぞれ保持することにより、相互に連結されている。これにより、装着部１１−１の可動のバランスや、剛性の向上が高められる。
【０１３５】
シャフト６４には、連結用部材７２−２が保持されており、連結用部材７２−２には、エアシリンダ８１の可動端８１ｂが細シャフト７１を介して取り付けられており、ガススプリング８２の可動端８２ｂが平行ピン１７４を用いて取り付けられている。
【０１３６】
例えば、図１５の例に示されるように、装着部１１−１およびスタンド枠１０−１が開いている状態（すなわち、装着部１１−１がスタンド枠１０−１から解放されている状態）において、ユーザは、スタンド枠１０−１から矢印Ａ方向に突出した装着部１１−１を、スタンド枠１０−１側（矢印Ｂ方向）に押し込む。
【０１３７】
矢印Ｂ方向に人力などが印加されると、パンタグラフ機構４２−１および４２−２のアーム１３１に取り付けられたインナ１１２、およびアーム１３２に取り付けられたインナ１２２は、レール１１１およびレール１２１に沿って、それぞれ降下し、インナ１１２および１２２の降下と同時に、連結用部材７２−２に取り付けられたエアシリンダ８１の可動端８１ｂ、およびガススプリング８２の可動端８２ｂが降下して、エアシリンダ８１およびガススプリング８２は収縮する。
【０１３８】
以上により、図１７に示されるように、パンタグラフ機構４２−１および４２−２のアーム１３１および１３２は、折りたたまれ、パンタグラフ機構４２−１および４２−２は、スタンド枠１０−１に収納された状態となり、装着部１１−１は、スタンド枠１０−１に対して閉じられる。
【０１３９】
なお、このとき、実際には、ロックピン部４４−１および４４−２がロックカム部５１−１および５１−２に嵌合されることで、装着部１１−１は、スタンド枠１０−１に対して固定（ロック）されている。
【０１４０】
一方、図１７に示されるように、装着部１１−１がスタンド枠１０−１に対して閉じられた（すなわち、固定された）状態において、ユーザは、スタンド枠１０−１に固定された装着部１１−１を、スタンド枠１０−１側（矢印Ｂ方向）に押し込むことにより、ロックピン部４４−１および４４−２がロックカム部５１−１および５１−２から外れる。これにより、装着部１１−１は、スタンド枠１０−１から解放される。
【０１４１】
このとき、収縮していたガススプリング８２の伸張能力とエアシリンダ８１の反力により調整された速度で、ガススプリング８２の可動端８２ｂおよびエアシリンダ８１の可動端８１ｂは、図中上方へ動き、この動きに伴って、エアシリンダ８１の可動端８１ｂおよびガススプリング８２の可動端８２ｂに取り付けられた連結用部材７２−２が上方へ押し上げられる。
【０１４２】
連結用部材７２−２が押し上げられると、パンタグラフ機構４２−１および４２−２のアーム１３１に取り付けられたインナ１１２、およびアーム１３２に取り付けられたインナ１２２は、レール１１１およびレール１２１に沿ってそれぞれ上昇し、同時に、アーム１３１の固定端と、固定端に平行ピン１４１を用いて取り付けられた装着部１１−１の枠１０１−１および１０１−２は、矢印Ａ方向へ動く。
【０１４３】
以上により、装着部１１−１は、図１５に示されるように、スタンド枠１０−１から前方（矢印Ａ方向）に押し出され、スタンド枠１０−１から突出した状態となる。
【０１４４】
以上のように、ガススプリング８２の伸張能力とエアシリンダ８１の反力により、スタンド枠１０−１に対しての装着部１１−１の可動速度を制御することができるので、スタンド１０に設けられるすべての装着部１１−１乃至１１−９の可動速度を略一定に調整することができる。
【０１４５】
これにより、ユーザは、装着部１１−１に設けられるモニタフック３１に、テレビジョン受像機２１−１を、安全かつ簡単に装着したり、装着部１１−１に装着されたテレビジョン受像機２１−１を、安全かつ簡単に取り外すことができる。
【０１４６】
次に、図１８を参照して、装着部１１−１とスタンド枠１０−１に設けられるロック機構について詳しく説明する。
【０１４７】
図１８は、スタンド枠１０−１から突出された状態における、テレビジョン受像機２１−１が装着された装着部１１−１と、スタンド枠１０−１を真上から見た上面図である。なお、図１８の例においては、スタンド枠１０−１や装着部１１−１のロック機構の説明に必要のない部分は、説明の便宜上、省略されている。
【０１４８】
図１８のスタンド枠１０−１の支柱固定台１７１には、支柱６１−１側に、ロックカム部５１−１が設けられており、支柱６１−２側に、ロックカム部５１−２が設けられている。
【０１４９】
また、スタンド枠１０−１の支柱固定台１７１には、さらに、ロックカム部５１−２の近傍に、金属片２２２を有する電源スイッチ２２１が取り付けられている。電源スイッチ２２１は、装着部１１−１に取り付けられた金属板２５２が金属片２２２に接触している間、テレビジョン受像機２１−１の電源状態をＯＮ状態にする。すなわち、電源スイッチ２２１は、テレビジョン受像機２１−１がスタンド１０に装着されたことを検出し、ボックス１３−１に収納される電気ボックスに通知し、コネクタ３２を介して、テレビジョン受像機２１−１に電力を供給させる。
【０１５０】
金属片２２２は、通常は、図１８の点線の位置に配置されるように、一方の端部が電源スイッチ２２１に取り付けられているが、装着部１１−１に設置された金属板２５２により、実線の位置まで押圧される。このとき、金属片２２２は、弾力性を有しているため、点線の位置に戻ろうとする力を発生する。
【０１５１】
一方、図１８の装着部１１−１の前面板１１−１ａに設けられたモニタフック３１には、テレビジョン受像機２１−１のモニタパイプ４１が引っ掛けられることにより装着されている。
【０１５２】
テレビジョン受像機２１−１の背面には、テレビジョン受像機２１−１の基板などが収納される収納部２４１が取り付けられており、モニタパイプ４１は、接続部材２４２−１乃至２４２−４により収納部２４１およびテレビジョン受像機２１−１の背面に、背面から突出するように取り付けられている。
【０１５３】
前面板１１−１ａのスタンド枠１０−１側には、支柱固定台１７１に設けられたロックカム部５１−１および５１−２に対応する位置に、ロックピン部４４−１および４４−２を取り付けるための突出部２５１−１および２５１−２が設けられている。すなわち、ロックピン部４４−１および４４−２は、それぞれ、突出部２５１−１および２５１−２に、取り付けられている。
【０１５４】
突出部２５１−２には、さらに、電源スイッチ２２１の金属片２２２に対応する位置に、装着部１１−１がスタンド１０に閉じられたときに、金属片２２２に接触することで、テレビジョン受像機２１−１がスタンド１０に装着されたことを検出させるための金属板２５２が取り付けられている。
【０１５５】
ここで、装着部１１−１が、スタンド枠１０−１から解放されている状態には、図１０を参照して上述したように、装着部１１−１に対して、矢印Ａ方向に、ガススプリング８２の伸張能力が作用しており、装着部１１−１は、スタンド枠１０−１から矢印Ａ方向に突出している。ここで、ユーザは、スタンド枠１０−１から矢印Ａ方向に突出した装着部１１−１を、スタンド枠１０−１（矢印Ｂ方向）に押し込む。
【０１５６】
矢印Ｂ方向に力が印加されると、パンタグラフ機構４２−１および４２−２がスタンド枠１０−１に収納された状態となり、図１９に示されるように、装着部１１−１は、スタンド枠１０−１に対して閉じた状態となる。
【０１５７】
このとき、突出部２５１−１および突出部２５２−２に取り付けられたロックピン部４４−１および４４−２は、それぞれ、支柱固定台１７１に設けられたロックカム部５１−１および５１−２に嵌合される。これにより、可動部材である装着部１１−１の矢印Ａ方向への運動が停止（ロック）される。
【０１５８】
また、同時に、突出部２５２−２に取り付けられた金属板２５２は、電源スイッチ２２１の金属片２２２を、図１８の実線の位置に押し込む。これに対応して、金属片２２２は、図１８の点線の位置に戻ろうとし、金属片２２２と金属板２５２は、接触し続ける。
【０１５９】
これにより、装着部１１−１がスタンド枠１０−１に対して閉じている間（すなわち、装着部１１−１がスタンド枠１０−１に固定されている間）、テレビジョン受像機２１−１の電源状態は、常にＯＮ状態であるように保持される。
【０１６０】
装着部１１−１が、スタンド枠１０−１に対して閉じている場合、すなわち、ロックピン部４４−１および４４−２、並びにロックカム部５１−１および５１−２により、装着部１１−１の運動が停止（ロック）されている場合において、ユーザが、スタンド枠１０−１に固定された装着部１１−１をスタンド枠１０−１側（矢印Ｂ方向）に、さらに押し込むことにより、ロックピン部４４−１および４４−２が、ロックカム部５１−１および５１−２からそれぞれ外れる。これにより、装着部１１−１は、スタンド枠１０−１から解放される。
【０１６１】
このとき、収縮していたプリング８２の伸張能力とエアシリンダ８１の反力により調整された速度で、図１０を参照して上述したように、パンタグラフ機構４２−１および４２−２がスタンド枠１０−１から押し出される。これにより、装着部１１−１は、図１８に示されるように、スタンド枠１０−１から前方（矢印Ａ方向）に押し出され、スタンド枠１０−１から突出した状態となる。
【０１６２】
また、同時に、突出部２５２−２に取り付けられた金属板２５２は、電源スイッチ２２１の金属片２２２から離れ、金属片２２２は、点線の位置に戻る。これにより、金属片２２２は、金属板２５２との接触から解放されるので、テレビジョン受像機２１−１の電源は、ＯＦＦ状態となる。
【０１６３】
以上のように、テレビジョン受像機２１−１の電源のＯＮ／ＯＦＦの切り換えが、装着部１１−１のスタンド枠１０−１への開閉、すなわち、ロックピン部４４−１および４４−２、並びにロックカム部５１−１および５１−２のロックおよび解除とともに、実行される。
【０１６４】
したがって、ユーザは、装着部１１−１をスタンド枠１０−１に対して押し込むだけで、装着部１１−１をロック、またはロック解除することができ、それに応じて、テレビジョン受像機２１−１の電源を、ＯＮまたはＯＦＦ状態にすることができる。
【０１６５】
これにより、ユーザは、テレビジョン受像機２１−１の電源のＯＮまたはＯＦＦを切り換える手間が必要なくなり、電源の切り忘れなどの心配をする必要がなくなる。
【０１６６】
次に、ロック機構について詳しく説明する。図２０は、スタンド枠１０−１の支柱固定台１７１に設けられるロックカム部５１−２の詳細な構成例を表している。なお、図２０の例において、図中左側が、装着部１１−１方向とされる。
【０１６７】
ロックカム部５１−２は、カム板固定台３１１、カム板３１２、およびカム板３１３で構成される。
【０１６８】
カム板固定台３１１には、カム板乗せ台３２１が設けられている。カム板乗せ台３２１は、可動部材である装着部１１−１側に、装着部１１−１に設けられたロックピン部４４−２のロックピン３５１（図２１）がカム乗せ台３２１上に乗りやすいように形成された傾斜３２１ａを有している。
【０１６９】
カム板３１２は、固定部材であるスタンド枠１０−１側に、片持ちピン３２２を用いて、カム板固定台３１１に取り付けられており、カム板３１３は、スタンド枠１０−１側に、片持ちピン３２３を用いて、カム板固定台３１１に取り付けられている。カム板３１２およびカム板３１３は、片持ちピンの性能から、片持ちピン３２２および片持ちピン３２３を軸として、それぞれ回動自在に構成されている。
【０１７０】
なお、カム板３１３は、自重の働きにより接触面３１３ａがカム乗せ台３２１と接触した状態で静止するように、カム板固定台３１１に取り付けられており、カム板３１２は、自重の働きにより、接触面３２１ａがカム乗せ台３２１と接触した状態で静止するように、カム板固定台３１１に取り付けられている。
【０１７１】
カム板３１２には、図中左方向（装着部１１−１方向）への力が作用しているロックピン３５１を保持するための切欠き３３１が形成されている。カム板３１３には、図中右方向（スタンド枠１０−１方向）への力が作用しているロックピン３５１を保持するための切欠き３３２および３３３が形成されている。
【０１７２】
図２１は、図１８のロックピン部４４−２の詳細な構成例を表している。なお、図２１の例において、図中右側が、スタンド枠１０−１方向とされる。
【０１７３】
ロックピン部４４−２は、ロックピン３５１とロックピン取付板３５２により構成される。ロックピン３５１は、ロックピン取付板３５２の一方の端部に取り付けられており、ロックピン取付板３５２は、他方の端部側において、片持ちピン３５３により、可動部材に取り付けられている。
【０１７４】
ロックピン取付板３５２において、ロックピン３５１が取り付けられている一方の端部は、力が印加されない限り、他方の端部と略平行な位置Ｐ１に保持されているが、所定の力により、片持ちピン３５３を軸として反時計回りした位置Ｐ２や、片持ちピン３５３を軸として時計回りした位置Ｐ３に、回動自在に構成されている。
【０１７５】
なお、図２１の例においては、ロックピン３５１は、ロックピン取付板３５２の図中奥側に設けるようにしたが、ロック機構の構成に応じて、ロックピン取付板３５２の図中手前側に設けるようにしてもよい。
【０１７６】
次に、図２２を参照して、ロックピン部への力の作用を説明し、さらに、図２３乃至図２６の工程図を参照して、ロックピン部およびロックカム部の動作を説明する。
【０１７７】
図２３乃至図２６においては、ロックピン部４４−２およびロックカム部５１−２の動作を、ロックピン部４４−２およびロックカム部５１−２の動作状態の各経過を表わす状態Ｓ１乃至状態Ｓ１０を用いて説明する。なお、図２２乃至図２６において、ロックピン３５１の動作を示すために、ロックピン取付板３５２は、透過した状態で示されている。また、図２２乃至図２６において、説明に必要のない部分の符号は、適宜省略される。
【０１７８】
図２２に示されるように、ロックピン部４４−２が設けられている可動部材としての装着部１１−１は、例えば、人力などによる矢印Ｂ方向への力の印加がない限り、図１０を参照して上述したガススプリング８２の伸張能力により常に矢印Ａ方向への力が作用している。
【０１７９】
まず、図２３乃至図２５を参照して、ロック動作について説明する。
【０１８０】
例えば、ユーザは、可動部材である装着部１１−１を、スタンド枠１０−１側（矢印Ｂ方向）に押し込み、移動させていく。装着部１１−１の移動に応じて、ロックピン部４４−２も矢印Ｂ方向に移動する。ロックピン部４４−２が移動する先には、スタンド枠１０−１の支柱固定台１７１上に、ロックカム部５１−２が設けられている。
【０１８１】
装着部１１−１がスタンド枠１０−１に閉じられていく（すなわち、装着部１１−１が矢印Ｂ方向に移動していく）段階で、図２３の状態Ｓ１に示されるように、ロックピン３５１は、カム板乗せ台３２１に形成された傾斜３２１ａに沿って、カム板乗せ台３２１上に乗る。なお、このとき、カム板３１２は、自重の働きにより、接触面３１２ａがカム乗せ台３２１と接触した状態で静止しており、カム板３１３は、自重の働きにより接触面３１３ａがカム乗せ台３２１と接触した状態で静止している。
【０１８２】
さらに、装着部１１−１が矢印Ｂ方向に移動していくと、ロックピン３５１は、状態Ｓ２に示されるように、カム板乗せ台３２１の上面に沿って、移動していき、カム板３１２の面３１２ｂに接触し、その後、状態Ｓ３に示されるように、カム板３１２の面３１２ｂを迫り上げる。
【０１８３】
このとき、カム板３１２は、片持ちピン３２２を軸にして、ロックピン３５１の分だけ、反時計回りに回動する。これに対応して、カム板３１２の切欠き３３１の傾斜面３３１ａは、カム板３１３の切欠き３３２の傾斜面３３２ａを迫り上げ、カム板３１３が片持ちピン３２３を軸に図中時計回りに回動するが、カム板３１３は、接触部３１３ｂがカム乗せ台３２１と接触した状態で静止する。
【０１８４】
すなわち、接触部３１３ｂにより、カム板３１３は、回動しすぎることなく、ロックピン３５１がカム板３１２との接触を終えた後に、自重により、接触面３１３ａがカム乗せ台３２１と接触した元の状態に戻る。なお、このとき、必ずしも、カム板３１２とカム板３１３の位置は、傾斜面３３１ａが傾斜面３３２ａを迫り上げる位置関係でなくてもよい。
【０１８５】
さらに、装着部１１−１が矢印Ｂ方向に移動していくと、ロックピン３５１は、図２４の状態Ｓ４に示されるように、カム板３１２との接触を終え、状態Ｓ５に示されるように、カム板３１３に形成された切欠き３３２に衝突する。切欠き３３２は、矢印Ｂ方向へ移動するロックピン３５１を保持するように形成されているので、切欠き３３２の保持により、ロックピン３５１の移動は停止される。
【０１８６】
このとき、ロックピン３５１により迫り上げられていたカム板３１２は、図２５の状態Ｓ６に示されるように、自重によって、接触面３１２ａをカム板乗せ台３２１に接触させて静止した元の状態に戻り、カム板３１２により迫り上げられていたカム板３１３も、自重によって、接触面３１３ａをカム板乗せ台３２１に接触して静止した元の状態に戻る。
【０１８７】
ここで、ユーザは、例えば、装着部１１−１から一旦手を離す。これに対応して、装着部１１−１に矢印Ｂ方向への力が印加されなくなると、ロックピン部４４−２に常に作用する矢印Ａ方向への力により、ロックピン３５１は、状態Ｓ７に示されるように、カム板３１２の面３３１ａに沿って上方に動き、カム板３１２に形成された切欠き３３１で保持されることにより、静止する。
【０１８８】
すなわち、カム板３１２が、自重により、接触面３１２ａによりカム板乗せ台３２１に接触して静止した状態であるので、ロックピン３５１が移動してきた経路は、カム板３１２により塞がれている。したがって、ロックピン３５１は、移動してきた経路を戻れず、切欠き３３１の傾斜面３３１ａ上を通過し、切欠き３３１へと導かれる。
【０１８９】
切欠き３３１は、矢印Ａ方向への力が作用しているロックピン３５１を保持するように形成されており、ロックピン３５１の矢印Ａ方向への力は、カム板３１２の切欠き３３１により保持されることで、抑えられ、状態Ｓ７が保たれる。
【０１９０】
これにより、カム板３１２の切欠き３３１に保持されたロックピン３５１は、ロック状態となり、可動部材である装着部１１−１は、スタンド枠１０−１に固定（ロック）される。すなわち、ロックピン３５１は、ユーザによる矢印Ｂ方向への１度の力の印加だけで、カム板３１２の切欠き３３１に嵌合され、カム板３１２にロックされる。
【０１９１】
次に、図２６を参照して、ロック解除の動作について説明する。
【０１９２】
図２５の状態Ｓ７に示されるロック状態において、例えば、ユーザは、装着部１１−１を、さらに、スタンド枠１０−１側（矢印Ｂ方向）に押し込む。装着部１１−１がスタンド枠１０−１に押し込まれると、図２６の状態Ｓ８に示されるように、ロックピン３５１は、カム板３１３の切欠き３３３の傾斜面３３３ａに沿って上方へ移動する。
【０１９３】
すなわち、ロックピン３５１は、カム板３１２の切欠き３３１による保持から解放される。
【０１９４】
このとき、カム板３１２の切欠き３３１に保持されていたロックピン３５１は、矢印Ｂ方向への力により、カム板３１３の傾斜面３３３ａに接触し、そのまま、傾斜面３３３ａ上を通過し、切欠き３３３へと導かれる。
【０１９５】
一方、このとき、カム板３１２の切欠き３３１においては、傾斜面３３１ａとは反対側に形成される傾斜面３３３ｂが、カム板３１３の傾斜面３３３ａを移動するロックピン３５１により迫り上げられる。
【０１９６】
さらに、装着部１１−１がスタンド枠１０−１に押し込まれると、ロックピン３５１は、状態Ｓ９に示されるように、カム板３１３の切欠き３３３に衝突する。
【０１９７】
なお、切欠き３３３は、矢印Ｂ方向への力が作用しているロックピン３５１を保持するように形成されている。このとき、ロックピン３５１から受ける矢印Ｂ方向への力により、カム板３１３の切欠き３３３が押され、片持ちピン３２３を軸に図中時計回りに回動しようとするが、カム板３１３は、接触部３１３ｂがカム乗せ台３２１と接触した状態で静止する。これにより、ロックピン３５１は、カム板３１３の切欠き３３３により保持され、静止する。
【０１９８】
また、このとき、カム板３１２は、傾斜面３３３ｂがロックピン３５１の迫り上げから解除され、自重により、接触面３１３ａがカム乗せ台３２１と接触した状態に戻る。
【０１９９】
ここで、ユーザは、装着部１１−１から一旦手を離す。これに対応して、ユーザによって矢印Ｂ方向に印加されていた力が解放されると、ロックピン３５１は、ロックピン部４４−２に常に作用している矢印Ａ方向への力により、状態Ｓ１０に示されるように、接触面３１３ａがカム乗せ台３２１と接触した状態のカム板３１２の上面３１２ｃに沿って、矢印Ａ方向に移動し、ロックカム部４４−２から離れる。
【０２００】
以上のようにして、ロックピン３５１は、ロックカム部４４−２によるロック（嵌合）から解除され、装着部１１−１は、スタンド枠１０−１から解放される。すなわち、矢印Ｂ方向への１度の力の印加だけで、ロックピン３５１のロックカム部４４−２によるロックは、解除される。
【０２０１】
次に、以上の動作を参照して、カム板３１２およびカム板３１３の形状および位置関係についてさらに詳しく説明する。
【０２０２】
まず、カム板３１２の形状、および、カム板３１２を固定する片持ちピン３２２の位置は、図２３の状態Ｓ３に示されるように、ロックピン３５１がカム板乗せ台３２１を通過可能な形状および位置とされ、また、図２５の状態Ｓ６に示されるように、ロックピン３５１が、カム板３１３の切欠き３３２により保持されたとき、自重によって初期の状態（すなわち、接触面３１３ａがカム乗せ台３２１と接触した状態）に戻るような形状および位置とされる。
【０２０３】
カム板３１２の形状、および、カム板３１２とカム板３１３の位置関係は、図２５の状態Ｓ７に示されるように、矢印Ｂ方向への力が印加されなくなったときに、常に作用する矢印Ａ方向への力により、ロックピン３５１が切欠き３３１により保持されるような形状とし、さらに、図２６の状態Ｓ１０に示されるように、矢印Ｂ方向への力が印加されなくなったときに、常に作用する矢印Ａ方向への力により、ロックピン３５１がカム板３１２の上面３１２ｃに沿って、矢印Ａ方向に移動するような形状および位置関係とされる。
【０２０４】
一方、カム板３１３の形状、および、カム板３１３を固定する片持ちピン３２３の位置は、図２５の状態Ｓ６に示されるように、矢印Ｂ方向へ移動するロックピン３５１が切欠き３３２により保持され、切欠き３３２より後方（図中右側）に移動不可能な形状および位置とされ、また、図２６の状態Ｓ９に示されるように、ロックピン３５１が、カム板３１３の切欠き３３３に衝突したときに、矢印Ｂ方向へ移動するロックピン３５１が切欠き３３３により保持され、切欠き３３３より後方に移動不可能な形状および位置とされる。
【０２０５】
カム板３１３の形状、および、カム板３１２とカム板３１３の位置関係は、図２６の状態Ｓ８に示されるように、ロック状態において、再度、装着部１１−１が矢印Ｂ方向へ押し込まれるときに、ロックピン３５１が、カム板３１３の傾斜面３３３ａを迫り上がるような形状および位置関係とされる。
【０２０６】
以上のように、所定の形状になるように２枚のカム板が形成され、それらが所定の位置関係で配置されて、ロックカム部５１−２が構成される。すなわち、従来のカム溝に相当するロックカム部５１−２は、所定の形状の２枚のカム板を形成し、それらを所定の位置に配置するだけで構成される。したがって、従来の複雑なカム溝よりも、簡単に形成することができる。
【０２０７】
なお、上記説明においては、支柱６１−２側に設けられるロックカム部５１−２とそれに対応するロックピン部４４−２を用いて説明したが、支柱６１−１側に設けられるロックカム部５１−１は、図２７に示されるように構成される。
【０２０８】
図２７は、図１８のロックカム部５１−１の詳細な構成例を表している。
【０２０９】
なお、図２７のロックカム部５１−１も、ロックカム部５１−２と同様に、カム板固定台３１１、カム板３１２、およびカム板３１３で構成され、図２０のロックカム部５１−２と左右が異なるだけであり、基本的には、左右対称の同様の構成をしているため、その説明は省略する。
【０２１０】
また、ロックカム部５１−１に対応するロックピン部４４−１も、図２１のロックピン部４４−２と左右が異なるだけであり、基本的には、左右対称の同様の構成をしているため、その説明は省略する。
【０２１１】
以上のように、ロックピン部４４−２およびロックカム部５１−２を構成することにより、ロック時も、ロック解除時も、矢印Ｂ方向への１度の力の印加だけで、ロックおよびロック解除をすることができる。
【０２１２】
したがって、ユーザは、簡単に、装着部１１−１をスタンド枠１０−１に固定したり、外したりすることができる。
【０２１３】
なお、上記説明においては、テレビジョン受像機２１−１乃至２１−９が装着されるスタンド１０を用いて説明したが、スタンド１０に装着されるものは、ディスプレイを有するものであれば、ディスプレイ装置であってもよい。
【０２１４】
また、上述したエアシリンダおよびガススプリングを設けたパンタグラフ機構、およびロック機構は、スケーラブルＴＶシステム１におけるテレビジョン受像機が装着されるスタンドだけに適用されるものではなく、固定部材に対して運動する可動部材を備える装置であれば、他の装置にも適用される。
【図面の簡単な説明】
【０２１５】
【図１】本発明を適用したスケーラブルＴＶシステムの一実施の形態の構成例を示す斜視図である。
【図２】図１のスケーラブルＴＶシステムの外観の構成例を示す側面図である。
【図３】図１の装着部１１−１がスタンドから押し出された状態のスケーラブルＴＶシステムの外観の構成例を示す斜視図である。
【図４】スタンドから解放され、スタンドから突出した状態の図１の装着部１１−４の構成例を示す拡大斜視図である。
【図５】スタンドに固定された状態の図１の装着部１１−４の構成例を示す拡大斜視図である。
【図６】図１の装着部とテレビジョン受像機の構成例を示す拡大側面図である。
【図７】図６のテレビジョン受像機が装着されている装着部に対応するスタンド枠を後方からみた構成例を示す斜視図である。
【図８】図６のパンタグラフ機構の詳細な構成例を示す側面図である。
【図９】図８のパンタグラフ機構へのガススプリングの取り付け例を示す側面図である。
【図１０】図９のパンタグラフ機構へのエアシリンダの取り付け例を示す側面図である。
【図１１】図１０のエアシリンダの詳細な構成例を示す側面図である。
【図１２】図１１のスピードコントロール機構の詳細な構成例を示す側面図および正面図である。
【図１３】装着部がスタンド枠に対して閉じられた状態の図１０のパンタグラフ機構の構成例を示す側面図である。
【図１４】スタンド枠におけるエアシリンダよびガススプリングの配置位置の例を示す背面図である。
【図１５】装着部とスタンド枠の構成例を示す斜視図である。
【図１６】図１５の装着部の前面板を取り除いた状態の装着部とスタンド枠の構成例を示す斜視図である。
【図１７】装着部がスタンド枠に対して閉じられた状態の装着部とスタンド枠の構成例を示す斜視図である。
【図１８】スタンド枠から突出された状態の装着部とスタンド枠の構成例を示す上面図である。
【図１９】装着部がスタンド枠に対して閉じられた状態の装着部とスタンド枠の構成例を示す上面図である。
【図２０】図１８のロックカム部の外観の詳細な構成例を示す斜視図である。
【図２１】図１８のロックピン部の外観の詳細な構成例を示す斜視図である。
【図２２】ロックピン部への力の作用を説明する図である。
【図２３】ロックピン部の動作を説明する工程図である。
【図２４】ロックピン部の動作を説明する工程図である。
【図２５】ロックピン部の動作を説明する工程図である。
【図２６】ロックピン部の動作を説明する工程図である。
【図２７】図１８のロックカム部の外観の詳細な他の構成例を示す斜視図である。
【符号の説明】
【０２１６】
１  スケーラブルＴＶシステム，１０  スタンド，１０−１  スタンド枠，１１−１乃至１１−９  装着部，２１−１乃至２１−９  テレビジョン受像機，４２，４２−１，４２−２  パンタグラフ機構 ，４４−１，４４−２  ロックピン部，５１−１，５１−２  ロックカム部，６１−１，６１−２  支柱，６２乃至６４  シャフト，８１  エアシリンダ，８２  ガススプリング，２０１  スピードコントロール機構，２２１  電源スイッチ，２２２  金属片，２５２  金属板，３１１  カム板固定台，３１２，３１３  カム板，３２１  カム乗せ台，３２２，３２３  片持ちピン，３３１乃至３３３  切欠き，３５１  ロックピン，３５２  ロックピン取付板，３５３  片持ちピン
【図１】
2006308902.tif 000003
【図２】
2006308902.tif 000004
【図３】
2006308902.tif 000005
【図４】
2006308902.tif 000006
【図５】
2006308902.tif 000007
【図６】
2006308902.tif 000008
【図７】
2006308902.tif 000009
【図８】
2006308902.tif 000010
【図９】
2006308902.tif 000011
【図１０】
2006308902.tif 000012
【図１１】
2006308902.tif 000013
【図１２】
2006308902.tif 000014
【図１３】
2006308902.tif 000015
【図１４】
2006308902.tif 000016
【図１５】
2006308902.tif 000017
【図１６】
2006308902.tif 000018
【図１７】
2006308902.tif 000019
【図１８】
2006308902.tif 000020
【図１９】
2006308902.tif 000021
【図２０】
2006308902.tif 000022
【図２１】
2006308902.tif 000023
【図２２】
2006308902.tif 000024
【図２３】
2006308902.tif 000025
【図２４】
2006308902.tif 000026
【図２５】
2006308902.tif 000027
【図２６】
2006308902.tif 000028
【図２７】
2006308902.tif 000029